(57)【要約】【課題】  衛生的で廃棄処理が容易な携帯用の尿滴吸収具を提供する。【解決手段】  台紙１１と、この台紙１１の端縁部に連接して開閉回動するカバー材１２とを備え、前記台紙の上に、略長方形を呈する複数の吸水紙材２０を並列配置させる（請求項１）。カバー材１２を開けて一つを取り出し、吸水紙材２０の基端部を指先で摘んで、先端部を尿道口に軽く当接させれば、尿道口から染み出た尿滴は毛細管現象で直ちに吸水紙材に吸収される。略長方形としてあるので、吸水紙材の先端から染みこんだ尿滴は、指先の基端部までは達せず衛生を保つことが出来る。使用後、吸水紙材はゴミ箱に捨てるか、水溶性の場合は水洗便器を介して簡単に廃棄処理できる。【選択図】    図１
0003180046.tif 000002
【実用新案登録請求の範囲】
【請求項１】
台紙と、
この台紙の端縁部に連接して開閉回動するカバー材とを備え、
前記台紙の上に、略長方形を呈する複数の吸水紙材を並列配置させたことを特徴とする携帯用の尿滴吸収具。
【請求項２】
台紙の上に並列配置させた吸水紙材の動きを拘束する拘束材を備え、
この拘束材は、両端部を台紙に固定した糸または紐あるいは帯材のうち少なくともいずれか一を前記吸水紙材の表面に位置させたものであることを特徴とする請求項１記載の携帯用の尿滴吸収具。
【請求項３】
台紙の上に並列配置させた吸水紙材の基端部を拘束するポケットを備えることを特徴とする請求項１記載の携帯用の尿滴吸収具。
【考案の詳細な説明】
【技術分野】
【０００１】
本考案は、携帯用の尿滴吸収具に係り、とくに男性用の尿滴吸収具に関する。
【背景技術】
【０００２】
排尿後に残尿感をもつ者は少なくない。
【０００３】
しかしながら、排尿時に個室を使う女性と異なり、男性用の小便器はオープンな空間に設置されているため、尿道先端から尿滴が染み出るような感じの残尿感が自覚されても、尿滴を完全に振り切る前に衣服を整えるひとが多く、下着やズボンを汚すことがある。
【０００４】
このような事情があるので、従来から、男性の排尿時において尿滴を簡単に始末する提案がある。
【０００５】
例えば、吸水性のある布地を男性器に直接装着させるもの（特許文献１、特許文献２）、万年筆型のホルダにロール状の吸水材を装填しておき、排尿後にロール状の吸水材を使って尿滴を吸収させるもの（特許文献３）等である。
【先行技術文献】
【特許文献】
【０００６】
【特許文献１】特開２００７−０２９６２６
【特許文献２】特開２０１０−０１１８８９
【特許文献３】特開２０１１−２１８１３０
【考案の開示】
【考案が解決しようとする課題】
【０００７】
ところで、男性器に吸水布地等を装着させる前記特許文献１、特許文献２に係る考案は、吸水布地を常時装着させておく必要があるため、皮膚の衛生や清潔を保つ点で難がある。また装着に手間もかかり、装着後は常時股間に違和感（拘束感など）があるので、快適性の面でも問題がある。
【０００８】
一方、万年筆型のホルダにロール状の給水材を装填した特許文献３のものは、毛細管現象を利用して複数回の使用を前提とするが、尿道口に何度も同じ吸水材を当接させるのは衛生上問題がある。また、尿滴を吸収させた器具をそのまま持ち歩くのは衛生上の問題だけでなく、携帯している鞄や衣服のポケット内部にアンモニアの悪臭が籠もるといった問題もあり、実用の点で好ましくない。
【０００９】
そこで、本考案の目的は、衛生的で廃棄処理が容易な携帯用の尿滴吸収具を提供することにある。
【課題を解決するための手段】
【００１０】
前記目的を達成するため、本考案に係る携帯用の尿滴吸収具は、台紙と、この台紙の端縁部に連接して開閉回動するカバー材とを備え、前記台紙の上に、略長方形を呈する複数の吸水紙材を並列配置させた（請求項１）。
【００１１】
本考案に係る尿滴吸収具は、台紙の上に略長方形の吸水紙材を並べてあるから、カバー材を開けて一つを取り出し、吸水紙材の基端部を指先で摘んで、先端部を尿道口に軽く当接させれば、尿道口から染み出た尿滴は毛細管現象で直ちに吸水紙材に吸収される。略長方形としてあるので、吸水紙材の先端から染みこんだ尿滴は、指先の基端部までは達せず衛生を保つことが出来る。
【００１２】
使用後、吸水紙材はゴミ箱に捨てるか、水溶性の場合は水洗便器を介して簡単に廃棄処理できる。
【００１３】
台紙の上に並列配置させた吸水紙材の動きを拘束する拘束材を備え、この拘束材は、両端部を台紙に固定した糸または紐あるいは帯材のうち少なくともいずれか一を前記吸水紙材の表面に位置させたものである場合がある（請求項２）。
【００１４】
台紙上に整列させた略長方形の吸水紙材は、互いの摩擦によって整列した状態を保つ。しかしながら、糸、紐、帯材のいずれかによる拘束材を設けておけば、吸水紙材を上から押さえて動きを拘束するので、携帯時のばらつきをより確実に防止することが出来る。
【００１５】
台紙の上に並列配置させた吸水紙材の基端部を拘束するポケットを備える場合がある（請求項３）。
【００１６】
吸水紙材は略長方形なので、その基端部を収納させて拘束するポケットを台紙に設けておけば、吸水紙材の動きを個別に拘束し、携帯時のばらつきを確実に抑えることが出来る。
【考案の効果】
【００１７】
本考案に係る携帯用の尿滴吸収具によれば、未使用の吸水紙材を使用して尿滴を吸収できるので衛生的である。吸水紙材は略長方形なので、それを摘んでいる指先に尿が達することもないし、すぐに廃棄処理できるから、使い勝手も良く実用性に優れる。複数の吸水紙材を備えるので、携帯時の排尿回数が多くなっても常に新しい衛生的な吸水紙材を使用できる。
【図面の簡単な説明】
【００１８】
【図１】実施形態に係る尿滴吸収具を例示する斜視図である。
【図２】図１に示す吸水紙材の具体的構成例を示す斜視図である。
【図３】図１に示す吸水紙材を上下二段に重ねた状態を例示する斜視図である。
【図４】図１に示す吸水紙材の拘束材を例示する斜視図である。
【図５】図４に示す吸水紙材の他の拘束材の構成例を示す図である。
【図６】図１に示す吸水紙材を拘束するポケットを例示する図である。
【図７】図６に示す尿滴吸収具に二つのカバー材を設けた場合を例示する図である。
【考案を実施するための形態】
【００１９】
図１は、本考案に係る携帯用の尿滴吸収具を例示するものである。
【００２０】
この携帯用の尿滴吸収具１０は、台紙１１と、この台紙１１の端縁部に連接して開閉回動するカバー材１２とを備え、前記台紙１１の上に、略長方形を呈する複数の吸水紙材２０を並列配置させたものである。
【００２１】
台紙１１は、例えば、厚紙を用いて矩形に成形する。好ましくは、防水加工を施しておく。台紙１１の大きさは衣服のポケットに入る程度の大きさ、例えば、縦横６０ｍｍ以内に設定することが望ましい。
【００２２】
１１−２は、台紙１１の基端部に設けた立上部である。この立上部１１−２は、台紙１１の上に配する吸水紙材２０の厚みに応じて高さを設定する。
【００２３】
カバー材１２は、台紙１１の上に配する吸水紙材２０の表面を保護するものであり、例えば、台紙１１と同様に厚紙を用いて矩形に成形する。蓋体としての機能をもつので、カバー材１２は開閉回動可能としておく。
【００２４】
立上部１１−２を介して台紙１１とカバー材１２が連接されるので、長方形の厚紙を用いて折曲加工すれば、台紙１１、立上部１１−２、カバー材１２からなるケース体を一体成形することが出来る。
【００２５】
吸水紙材２０は、例えば、吸水性のある柔軟な紙を用いる。紙厚は、尿滴吸収時に破損しない程度の肉厚、例えば０．５〜２ｍｍ程度としておくことが望ましい。
【００２６】
吸水紙材２０は、一定の肉厚をもたせて一体成形したものでも良いが、薄い紙を複数枚積層させても良い。また、図２に示すように、若干大きな面積をもった矩形の薄紙２１を折りたたんで、一定の肉厚をもった略長方形の吸水紙材２０としても良い。
【００２７】
水洗便器を介した廃棄処理ができるよう、吸水紙材２０は水溶性の紙を用いることが望ましいが、大きな薄紙２１を折りたたんで吸水紙材２０を成形した場合は、容易に水に溶けやすい。また製造コストも抑えることが出来る。
【００２８】
吸水紙材２０は、例えば、幅１０〜１５ｍｍ程度、長手寸法４０〜５０ｍｍ程度の細長い長方形とすることが望ましい。１０〜１５ｍｍ程度の横幅があれば、その先端を尿道口にあてがって尿滴を吸収させることは容易に出来る。また４０〜５０ｍｍ程度の長手寸法があれば、先端に吸収させた水分（尿）が基端側の手元（指先）まで達することを防止できる。先端で吸収させた水分は、肉厚をもった先端部近傍で拡散し、指先側までは広がらないからである。
【００２９】
吸水紙材２０は、上下二段に配設することが望ましい。例えば台紙１１の横幅を５０ｍｍ、吸水紙材２０の横幅を１０ｍｍとした場合、台紙１１上には５枚の吸水紙材２０を並列配置できるが、これを上下二段に設ければ、１０枚の吸水紙材２０をケース体（１１、１１−２、１２）に納めることが出来るからである。
【００３０】
上下二段に吸水紙材２０を配した場合の外観を、図３に示す。外出時には、通常の場合、４〜５枚の吸水紙材２０があれば足りると思われるが、倍の数（８〜１０枚）がケース体（１１、１１−２、１２）に入っていれば心理的にも安心できるし、次回の外出時に携帯し忘れたときも、前回外出時のもの（ポケットや鞄に入っているもの）を利用できる可能性が高くなる。
【００３１】
従って、かかる尿滴吸収具１０によれば、ポケットに入るサイズのケース体（１１、１１−２、１２）に複数の吸水紙材２０を納めてあるので、排尿前に、この尿滴吸収具をポケットや鞄から取り出し、蓋（カバー材１２）を開けて吸水紙材２０の一個を手に持って予め準備しておき、排尿後、すみやかに吸水紙材２０の先端を尿道口に接触させて尿滴を吸収させれば、周囲にいる人に気づかれることなく迅速に尿道口の尿滴（残尿雫）を吸収解消きる。
【００３２】
吸水紙材２０は若干の肉厚があり、基端部を指先でもったときにも先端部が重力下降で撓むこともないため、吸収操作はきわめて容易に行うことが出来る。また吸水紙材２０は、略長方形であり吸収させた尿滴が手元（指先）まで拡散して広がることはないから、手の衛生も確保できる。
【００３３】
簡単な操作で尿滴（残尿雫）を吸収できるので、残尿感に悩む高齢者や若年層も、排尿後に衣服の股間が濡れて他人に気づかれる等の恥ずかしい思いに悩まされる心理的負荷を解消することが出来る。
【００３４】
図４は、吸水紙材２０を抑える帯状の拘束材２５を設ける場合を例示するものである。拘束材２５は、その両端部を台紙１１に固定しておき、吸水紙材２０の表面を抑えるように位置させる。
【００３５】
吸水紙材２０は、吸水性をもたせるために紙の繊維が粗いので、隣接させた吸水紙材２０同士は、接触摩擦によって位置ずれをおこし難い。従って、胸ポケットなどに入れて携帯する場合は、吸水紙材２０が位置ずれによって台紙１１の外に飛び出す可能性は低いが、ケース体（１１、１１−２、１２）が上下左右に激しく動いた場合は、吸水紙材２０が位置ずれを起こす可能性がある。
【００３６】
そこで、吸水紙材２０の表面を拘束材２５によって軽く抑えておけば、位置ずれによるケース体（１１、１１−２、１２）からの飛び出しをより確実に防止できる。
【００３７】
拘束材２５は、帯状のものに限らず、糸や紐でも良い。吸水紙材２０の表面を抑えて動きを拘束する機能性は同じだからである。
【００３８】
拘束材２５は、図５に示すように、下段の吸水紙材２０を拘束するもの（２５−１）と上段の吸水紙材２０を拘束するもの（２５−２）を、それぞれ別個に設けて置くことが望ましい。上下段を個別に拘束する方が、吸水紙材２０の位置ずれをより確実に防止できるからである。帯状のものに限らず、糸材、紐材を用いる場合も同じである。帯材、糸材、紐材は、上下段で同じものを使用する必要はない。別々のものを使用して構わない。
【００３９】
図６は、吸水紙材２０の基端部を拘束するポケット３０を設ける場合を例示したものである。
【００４０】
ポケット３０は、吸水紙材２０の位置ずれを防止する点では前記拘束材２５と同じであるが、上下段の吸水紙材２０の基端部をそれぞれ一個ずつ個別に拘束する点で前記拘束材２５と異なる。
【００４１】
吸水紙材２０の基端部を帯材等の拘束材２５で抑えることによっても、吸水紙材２０の動きは拘束できるが、ジョギングや登山時のような運動時に尿滴吸収具を携帯する場合は、吸水紙材２０の動きを確実に抑えることが要請される。
【００４２】
そこで、吸水紙材２０の基端部を個別に拘束できるポケット３０を設けておけば、運動時における吸水紙材２０の位置ずれが防止可能となる。
【００４３】
個別に吸水紙材２０の基端部を拘束するポケット３０は、有底である必要はない。無底無蓋のものであっても良い。前記拘束材２５が、上段または下段の吸水紙材２０を一括して拘束するのに対し、ポケット３０は、吸水紙材２０を個別に拘束する点で相違するものである。
【００４４】
なお、本考案に係る尿滴吸収具は、前記実施形態のものに限らない。例えば、前記実施形態では、台紙１１の基端部に一つのカバー材１２を設ける旨説明したが、図７に示すように、カバー材１２の対向位置に（台紙１１の先端部）に別のカバー材１２−２を設けても良い。１２−３は、カバー材１２−２に設けた立上部である。
【００４５】
台紙１１の基端部と先端部に二つのカバー材１２、１２−２を設ければ、より確実に吸水紙材２０の位置ずれを防止することが出来る。またケース体が上部になるので携帯時の曲げにも強くなる。二つのカバー材１２、１２−２を設ける場合は、各個が吸水紙材２０の全体を覆う必要はなく、吸水紙材２０の長手方向の６〜８割の部分を覆う程度にカバー材１２、１２−２の寸法を短めに設定して構わない。カバー材１２、１２−２の形状は適宜変更できる。
【００４６】
前記実施形態では、吸水紙材２０を一段の並列配置または上下二段の並列配置と説明したが、三段以上の並列配置であっても良い。
【００４７】
また、前記説明では尿滴を吸収する素材を吸水性のある紙材である旨説明したが、吸水性のある衛生用紙材である限り、素材に合成樹脂等、植物繊維以外のものを用いても構わない。
【符号の説明】
【００４８】
１０  尿滴吸収具
１１  台紙
１１−２、１２−３  立上部
１２、１２−２  カバー材
２０  吸水紙材
２１  薄紙
２５  拘束材
２５−１  （下段用の）拘束材
２５−２  （上段用の）拘束材
３０  ポケット
【図１】
0003180046.tif 000003
【図２】
0003180046.tif 000004
【図３】
0003180046.tif 000005
【図４】
0003180046.tif 000006
【図５】
0003180046.tif 000007
【図６】
0003180046.tif 000008
【図７】
0003180046.tif 000009